(57)【要約】【課題】作業者の負担を軽減し、かつ、エンジンの騒音や振動が作業者に与える影響を低減し得るブロワを提供する。【解決手段】ハンドル１と左右一対の車輪２，２を有する手押し車５を備え、手押し車５に、送風用のファン４と、ファン４を回転駆動するためのエンジン３が搭載され、ファン４の吐出口４Ａに連通連結されると共に先端部６Ａにエアー吹出口８を有する送風管６が、手押し車５の前方に突出状に設けられている。【選択図】図１
2017186959.tif 000002
【特許請求の範囲】
【請求項１】
ハンドル（１）と左右一対の車輪（２）（２）を有する手押し車（５）を備え、該手押し車（５）に、送風用のファン（４）と、該ファン（４）を回転駆動するためのエンジン（３）が搭載され、
上記ファン（４）の吐出口（４Ａ）に連通連結されると共に先端部（６Ａ）にエアー吹出口（８）を有する送風管（６）が、上記手押し車（５）の前方に突出状に設けられていることを特徴とするブロワ。
【請求項２】
上記送風管（６）は、硬質のパイプから成り、先端下傾状姿勢を保持するよう上記手押し車（５）のフレーム（１２）に固着され、上記エアー吹出口（８）が地面近傍に配設されている請求項１記載のブロワ。
【請求項３】
使用状態で、全体の重心（Ｇ）が、上記車輪（２）（２）の接地点（Ｐ）より前方寄りに配設され、上記ハンドル（１）に上方から押圧力（Ｆ）を付与して、上記手押し車（５）を走行操作可能として構成されている請求項１又は２記載のブロワ。
【請求項４】
上記ハンドル（１）は、上記手押し車（５）に角度調整自在に取着されている請求項１，２又は３記載のブロワ。
【請求項５】
上記手押し車（５）は、上記ファン（４）を背面側から支持する支持板（１５）を有している請求項１，２，３又は４記載のブロワ。
【発明の詳細な説明】
【技術分野】
【０００１】
本発明は、道路、公園、庭、工場等のゴミや落ち葉を吹き飛ばして集め、清掃するのに用いられるブロワに関する。
【背景技術】
【０００２】
従来、図４に示すように、ファン４８とこれを回転駆動するためのエンジン４７とを有するブロワユニット４６を、作業者４９が背負う背負フレーム４５に搭載し、使用者４９が背負って運びながらゴミや落ち葉等を吹き飛ばして清掃する背負式ブロワが知られている（特許文献１参照）。
【先行技術文献】
【特許文献】
【０００３】
【特許文献１】特開２０１５−８３８１６号公報
【発明の概要】
【発明が解決しようとする課題】
【０００４】
しかし、従来の背負式ブロワは、ブロワユニット４６及び背負フレーム４５の荷重を作業者４９が直接支えなければならなかった。また、作業者４９は、送風管５０を、その蛇腹管部５０Ａの可撓性を利用して左右に大きく振りながら周囲のゴミや落ち葉等を吹き飛ばして清掃を行う必要があり、腕がすぐに疲れてしまっていた。即ち、作業者４９の負担が大きく、すぐに疲れてしまう為、作業性が悪いという欠点があった。しかも、エンジン４７の騒音や振動が作業者４９に伝わり易く、作業者４９が大きな音を連続的に聞くことで耳鳴りを起こしたり、振動が頭部に響いたりして、作業者４９の耳や脳などに悪影響を与え、健康被害が生じる虞があった。
【０００５】
そこで、本発明は、作業者の負担を軽減し、かつ、エンジンの騒音や振動が作業者に与える影響を低減し得るブロワを提供することを目的とする。
【課題を解決するための手段】
【０００６】
本発明に係るブロワは、ハンドルと左右一対の車輪を有する手押し車を備え、該手押し車に、送風用のファンと、該ファンを回転駆動するためのエンジンが搭載され、上記ファンの吐出口に連通連結されると共に先端部にエアー吹出口を有する送風管が、上記手押し車の前方に突出状に設けられているものである。
【０００７】
また、上記送風管は、硬質のパイプから成り、先端下傾状姿勢を保持するよう上記手押し車のフレームに固着され、上記エアー吹出口が地面近傍に配設されているものである。
また、使用状態で、全体の重心が、上記車輪の接地点より前方寄りに配設され、上記ハンドルに上方から押圧力を付与して、上記手押し車を走行操作可能として構成されているものである。
また、上記ハンドルは、上記手押し車に角度調整自在に取着されている。
また、上記手押し車は、上記ファンを背面側から支持する支持板を有しているものである。
【発明の効果】
【０００８】
本発明のブロワによれば、ファンとエンジンの大きな荷重を手押し車によって支持して、作業者の負担を軽減できる。手押し車を小さな力で走行させることができ、かつ、手押し車をハンドルにて軽く左右に振ることで、簡単に送風管を左右に振ることが可能となって、広い範囲でゴミや落ち葉等を吹き飛ばして容易に清掃することができる。エンジンの騒音や振動が作業者に与える影響を低減して、健康被害を防止できる。
【図面の簡単な説明】
【０００９】
【図１】本発明の実施の一形態を示した斜視図である。
【図２】背面側からファンを見た拡大斜視図である。
【図３】本発明のブロワの使用状態を示す側面図である。
【図４】従来の背負式ブロワの使用状態を示す斜視図である。
【発明を実施するための形態】
【００１０】
以下、実施の形態を示す図面に基づき本発明を詳説する。
図１〜図３に示すように、本発明のブロワは、ハンドル１と左右一対の車輪２，２を有する手押し車５を備え、手押し車５に、送風用のファン４と、ファン４を回転駆動するためのエンジン３が搭載されている。
手押し車５は、側面視Ｌ字状に形成されたフレーム１２を有し、このフレーム１２上に、ファン４とエンジン３が載置されている。フレーム１２の上端部１２Ａには、角度調整機構１０を介して、ハンドル１が角度調整自在に取着されている。ハンドル１は、連結杆１３と、連結杆１３の先端に設けられた把手１１とを、有している。フレーム１２の下部には車輪支持部材を設け、車輪支持部材に左右一対の車輪２，２を回転自在に枢着している。フレーム１２の中間部には、ファン４を背面側から支持する支持板１５が立設（垂設）され、支持板１５とファン４は、複数のボルト・ナット結合によって固定されている。フレーム１２の前端部１２Ｂには、（不使用状態で図３に示す姿勢を保つための）スタンド７が付設されている。
【００１１】
ファン４は、前後一対のケース半体１４Ａ，１４Ｂから成るケーシング１４と、ケーシング１４に回転自在に内設される送風扇（図示省略）を有し、ケーシング１４の背面側に開口して外気を吸込むための吸引口９が設けられ、かつ、左側部に空気を噴出するための吐出口４Ａが形成されている。ケーシング１４は、ラジアル外方向に突出する複数の組立用突片１６を有し、組立用突片１６の各々にボルトを挿通してナットにより締結されている。
エンジン３は、ファン４の内部に設けられた送風扇に駆動軸を連結して回転駆動する。なお、エンジン３は、液体燃料の供給を受けて作動する周知の内燃エンジンであって、手押し車５のフレーム１２に、エンジン３の燃料タンク１７が搭載されている。エンジン３は、電磁モータに置き換えても良く、この場合、手押し車５にはバッテリーを搭載するのが好ましい。
【００１２】
ファン４の吐出口４Ａには、前方下方向に空気を吹出すように形成された送風管６が連通接続されている。
送風管６は、先端部６Ａに前方開口状のエアー吹出口８を有し、かつ、基端部６Ｂが吐出口４Ａに連通連結されて、手押し車５の前方下方向に（傾斜状に）突出状に設けられている。
送風管６は、硬質のパイプから成り、先端下傾状姿勢を保持するよう手押し車５のフレーム１２に固着され、エアー吹出口８が地面近傍に配設されている。
送風管６の先端部６Ａは、先端に向けて次第に幅が拡大しつつ厚みが縮小するように形成されて、先端縁が扁平状である。従って、エアー吹出口８が左右方向（水平方向）に細長い長円形状に形成されている。送風管６の長手方向中間部６Ｃとフレーム１２の前端部１２Ｂが、連結支持部材１８によって連結され、送風管６が先端下傾状姿勢を保持している。連結支持部材１８は、スタンド７と一体状にフレーム１２の前端部１２Ｂに固着されている。
【００１３】
上述した本発明のブロワの使用方法（作用）について説明する。
図３に示すように、エンジン３を起動させてから、ハンドル１に上方から押圧力Ｆを付与して、送風管６の先端部６Ａ、及び、スタンド７を地面から少し浮かせて、手押し車５を走行操作可能な状態とする。送風管６には、エンジン３とファン４によって空気が勢いよく送り込まれ、先端部６Ａのエアー吹出口８から空気を吹出す。エアー吹出口８は、左右方向の幅広い角度に地面近傍から空気を吹出し、能率よくゴミや落ち葉等を吹き飛ばして清掃を行う。
この使用状態で、全体の重心Ｇが、車輪２，２の接地点Ｐより前方寄りに配設されている為、ハンドル１に上方から少し体重を掛けつつ小さな押圧力Ｆを付与することで、テコの原理を利用して、前方に突出状の送風管６を持ち上げることが可能である。即ち、作業者は、手押し車５やエンジン３などの荷重を支持する必要がなく、ほとんど力を必要としない。作業者はハンドル１に手を置いて自重を掛けるだけで、手押し車５を走行操作することができ、長時間の使用でも疲れることなく、落ち葉やゴミ等を吹き飛ばして、清掃作業を行える。
【００１４】
ハンドル１を左右に操作することで、送風管６を左右に揺動させて、より広い範囲の清掃を行うことが可能である。図を見れば明らかなように、ハンドル１の把手１１と車輪２の距離が、車輪２から送風管６の先端部６Ａまでの距離の１／３倍〜１／５倍となっているため、ハンドル１を左右に少し移動させるだけで、送風管６の先端部６Ａが大きく振られることとなる。
また、ハンドル１を操作する作業者から、手押し車５に搭載されたエンジン３及びファン４の距離が十分に離れている為、騒音や振動の影響を受けにくく、耳鳴りや振動が頭に響くことなどを防止できる。支持板１５も防音作用を成している。
ハンドル１は角度調整が可能であるので、作業者の身長が低い場合は、２点鎖線で示すようにハンドル１を低く下げ、作業者の身長が高い場合は、ハンドル１を高く上げて、適宜調節することで、作業者の身長に対応する。
【００１５】
なお、本発明のブロワは、図１に示すように、ハンドル１に、エンジン３のスターター１９や緊急停止ボタン２０を設けても良い。さらに、平面的に見て、エンジン３とファン４を９０°回転して搭載するも好ましい。そのように搭載すれば、送風管６の基端部６Ｂを（図１のように）複雑に弯曲させずに、シンプルな形状として、送風管６の全体が簡素で製作し易くなる。
【００１６】
以上のように、本発明に係るブロワは、ハンドル１と左右一対の車輪２，２を有する手押し車５を備え、該手押し車５に、送風用のファン４と、該ファン４を回転駆動するためのエンジン３が搭載され、上記ファン４の吐出口４Ａに連通連結されると共に先端部６Ａにエアー吹出口８を有する送風管６が、上記手押し車５の前方に突出状に設けられているので、ファン４とエンジン３の大きな荷重を手押し車５によって支持して、作業者の負担を軽減できる。手押し車５を小さな力で走行させることができ、かつ、手押し車５をハンドル１にて軽く左右に振ることで、簡単に送風管６を左右に振ることが可能となって、広い範囲でゴミや落ち葉等を吹き飛ばして容易に清掃することができる。エンジン３の騒音や振動が作業者に与える影響を低減して、健康被害を防止できる。
【００１７】
また、上記送風管６は、硬質のパイプから成り、先端下傾状姿勢を保持するよう上記手押し車５のフレーム１２に固着され、上記エアー吹出口８が地面近傍に配設されているので、エアー吹出口８から地面近傍へ空気を吹出し、能率よくゴミや落ち葉等を吹き飛ばして清掃を行うことができる。
【００１８】
また、使用状態で、全体の重心Ｇが、上記車輪２，２の接地点Ｐより前方寄りに配設され、上記ハンドル１に上方から押圧力Ｆを付与して、上記手押し車５を走行操作可能として構成されているので、作業者は、手押し車５やエンジン３などの荷重を支持する必要がなく、テコの原理を利用して、前方に突出状の送風管６を持ち上げることができ、ほとんど力を必要としない。作業者は、ハンドル１に手を置いて上方から少し体重を掛けつつ小さな押圧力Ｆを付与することで、手押し車５を走行操作することができ、長時間の使用でも疲れることなく清掃作業を行うことができる。
【００１９】
また、上記ハンドル１は、上記手押し車５に角度調整自在に取着されているので、ハンドル１を低く下げたり高く上げたり適宜調節して作業者の身長に対応できる。
【００２０】
また、上記手押し車５は、上記ファン４を背面側から支持する支持板１５を有しているので、ファン４を縦置きにして確実に支持でき、送風管６を左右に振る操作を容易にすることができる。
【符号の説明】
【００２１】
１  ハンドル
２  車輪
３  エンジン
４  ファン
４Ａ  吐出口
５  手押し車
６  送風管
６Ａ  先端部
８  エアー吹出口
１２  フレーム
１５  支持板
Ｇ  重心
Ｐ  接地点
Ｆ  押圧力
【図１】
2017186959.tif 000003
【図２】
2017186959.tif 000004
【図３】
2017186959.tif 000005
【図４】
2017186959.tif 000006